(57)【要約】【課題】ケーブルでの降下電圧を補償する。【解決手段】外部電源の交流電源を直流電源を生成する変換装置と、ケーブルを介して変換装置に接続可能かつ電気機器に接続可能な中継装置とを備え、中継装置は、変換装置からケーブルのプラスラインを介して流入する電流を、検知期間には電気機器に流さずに自装置を介してそのマイナスラインに流し、電源供給期間には電気機器に流し、変換装置は、検知期間にプラスラインに流れる電流の値と、検知期間の直流電源電圧の値とから直流電源電圧を生成する。【選択図】図３
2014186684.tif 000002
【特許請求の範囲】
【請求項１】
直流駆動の電気機器を、第１および第２極性ラインを有するケーブルを介して外部電源に接続するための電源システムであって、
上記外部電源に接続可能であって外部電源の交流電源電圧から直流電源電圧を生成する変換装置と、上記ケーブルを介して変換装置に接続可能であるとともに、電気機器に接続可能な中継装置とを備え、
ケーブルを介して変換装置に接続された中継装置は、変換装置から第１極性ラインを介して流入する電流を、検知期間には電気機器に流さずに自装置を介して第２極性ラインに流し、電源供給期間には電気機器に流すように構成され、
上記変換装置は、検知期間に第１極性ラインから中継装置を介して第２極性ラインに流れる電流の値と、検知期間の直流電源電圧の値とに基づいて、電源供給期間の直流電源電圧を生成するように構成されていることを特徴とする電源システム。
【請求項２】
上記変換装置は、電源供給期間に第１極性ラインから中継装置を介して第２極性ラインに流れる電流の値に基づき、上記電源供給期間の直流電源電圧を、電気機器に要求される電圧値と、電源供給期間における第１極性および第２極性ラインでの降下電圧とを加算した値とするように構成されていることを特徴とする請求項１記載の電源システム。
【請求項３】
上記中継装置は、第１および第２トランジスタと、容量と、第１および第２抵抗と、第１極性ラインとの接続端子である第１端子と、第２極性ラインとの接続端子である第２端子と、電気機器との接続端子である第３および第４端子とを備え、
第１トランジスタの制御端子と第１端子との間に第１抵抗が接続され、第１トランジスタの制御端子と第２端子との間に容量が接続され、第２および第４端子が接続され、第１端子が、第１トランジスタおよび第２抵抗を介して第２端子に接続されるとともに、第２トランジスタを介して第３端子に接続されていることを特徴とする請求項１記載の電源システム。
【請求項４】
上記検知期間は、上記第１抵抗の抵抗値と上記容量の容量値との積よりも短いことを特徴とする請求項３記載の電源システム。
【請求項５】
外部電源の交流電源電圧から直流電源電圧を生成する変換装置に、第１および第２極性ラインを有するケーブルを介して接続可能であるとともに直流駆動の電気機器にも接続可能である電源用中継装置であって、
上記変換装置から第１極性ラインを介して流入する電流を、検知期間には電気機器に流さずに自装置を介して第２極性ラインに流し、電源供給期間には電気機器に流すように構成されていることを特徴とする電源用中継装置。
【発明の詳細な説明】
【技術分野】
【０００１】
本発明は、電気機器に電源供給を行う電源システムに関する。
【背景技術】
【０００２】
直流電源で動作する電気機器は、交流電源を直流電源に変換する変換器（例えば、ＡＣアダプタ）を介して商用電源に接続される。変換器で生成された直流電圧は、電気機器と変換器とを接続するケーブルの抵抗に起因して降下するため、この降下電圧分を変換器側で補償する技術が提案されている（特許文献１・２参照）。
【先行技術文献】
【特許文献】
【０００３】
【特許文献１】日本国公開特許公報「特開２００４−３４３８６５号」公報（２００４年１２月２日公開）
【特許文献２】日本国公開特許公報「特開２００８−５９１４５号」公報（２００８年３月１３日公開）
【発明の概要】
【発明が解決しようとする課題】
【０００４】
特許文献１では電気機器側で電圧検出および変調を行うため、電気機器にこれら機能を実現する特別な構成が必要となる。特許文献２では電気機器側の電圧を変換器側にフィードバックするため、ケーブルに特別な構成（フィードバック用のライン）が必要とされ、汎用のケーブルが使用できない。
【０００５】
本発明の目的は、電気機器（負荷）およびケーブルに特別な構成を要求することなくケーブルでの降下電圧を補償しうる電源システムを実現することである。
【課題を解決するための手段】
【０００６】
本電源システムは、直流駆動の電気機器を、第１および第２極性ラインを有するケーブルを介して外部電源に接続するための電源システムであって、上記外部電源に接続可能であって外部電源の交流電源電圧から直流電源電圧を生成する変換装置と、上記ケーブルを介して変換装置に接続可能であるとともに、電気機器に接続可能な中継装置とを備え、ケーブルを介して変換装置に接続された中継装置は、変換装置から第１極性ラインを介して流入する電流を、検知期間には電気機器に流さずに自装置を介して第２極性ラインに流し、電源供給期間には電気機器に流すように構成され、上記変換装置は、検知期間に第１極性ラインから中継装置を介して第２極性ラインに流れる電流の値と、検知期間の直流電源電圧の値とに基づいて、電源供給期間の直流電源電圧を生成するように構成されていることを特徴とする。
【０００７】
上記構成によれば、検知期間には電気機器には電流が流れず、（ケーブルの）第１極性ラインから中継装置を介して第２極性ラインに電流が流れる。検知期間に第１極性ラインから中継装置を介して第２極性ラインに流れる電流の値と、検知期間の直流電源電圧の値とからケーブルの抵抗値が得られるため、電源供給期間に、このケーブルの抵抗値を考慮して直流電源電圧を生成すれば、電気機器およびケーブルに特別な構成を要求することなく、ケーブルでの降下電圧を補償することができる。
【発明の効果】
【０００８】
負荷である電気機器およびケーブルに特別な構成を要求することなくケーブルでの降下電圧を補償することができる。
【図面の簡単な説明】
【０００９】
【図１】実施の形態１の構成を示すブロック図である。
【図２】（ａ）はキャリブレーションアダプタの構成を示す回路図、（ｂ）はキャリブレーションアダプタの動作を示すタイミングチャートである。
【図３】実施の形態１における検知期間の動作を示す回路図である。
【図４】実施の形態１における電源供給期間の動作を示す回路図である。
【図５】実施の形態２の構成を示す回路図である。
【図６】実施の形態２における検知期間の動作を示す回路図である。
【図７】実施の形態２における電源供給期間の動作を示す回路図である。
【図８】実施の形態３の構成を示す回路図である。
【図９】実施の形態３における検知期間の動作を示す回路図である。
【図１０】実施の形態３における電源供給期間の動作を示す回路図である。
【図１１】実施の形態１の変形例を示すブロック図である。
【図１２】実施の形態１の別変形例を示すブロック図である。
【発明を実施するための形態】
【００１０】
本発明の実施の形態を図１〜図１２に基づいて説明すれば以下のとおりである。
【００１１】
〔実施の形態１〕
図１に示す実施の形態１の電源システム１は、直流駆動の電気機器２５を、ケーブル１５を介して外部電源（例えば、商用電源）ＰＷに接続するためのものであり、ＡＣアダプタ１０（変換装置）と、これとは別体のキャリブレーションアダプタ２０（中継装置、電源用中継装置）とを備える。なお、使用状態では、外部電源ＰＷに接続するＡＣアダプタ１０が、ケーブル１５（例えば、汎用ケーブル）を介してキャリブレーションアダプタ２０に接続され、キャリブレーションアダプタ２０は電気機器２５に接続される。
【００１２】
キャリブレーションアダプタ２０は、ＡＣアダプタ１０からケーブル１５のプラスラインＰＬ（第１極性ライン）を介して流入する電流を、検知期間（外部電源接続時）には電気機器２５に流さずに自装置２０を介してケーブル１５のマイナスラインＭＬに流し、電源供給期間には電気機器２５に流す。
【００１３】
具体的には、図２（ａ）に示すように、キャリブレーションアダプタ２０は、トランジスタＴＲ１・ＴＲ２と、容量Ｃ１と、抵抗Ｒ１・Ｒ２と、プラスラインＰＬとの接続端子である端子Ｔ１と、マイナスラインＭＬとの接続端子であるＴ２と、電気機器２５との接続端子である端子Ｔ３（プラス側）および端子Ｔ４（マイナス側）とを備える。ここで、トランジスタＴＲ１のベース端子と端子Ｔ１との間に抵抗Ｒ１が接続され、トランジスタＴＲ１のベース端子と端子Ｔ２との間に容量Ｃ１が接続され、端子Ｔ２および端子Ｔ４が互いに接続され、端子Ｔ１が、トランジスタＴＲ１および抵抗Ｒ２を介して端子Ｔ４に接続されるとともに、トランジスタＴＲ２を介して端子Ｔ３に接続されている。
【００１４】
キャリブレーションアダプタ２０では、端子Ｔ３−Ｔ４間の電圧がおよびＲ２の両端の電圧が図２（ｂ）のように変動する。すなわち、抵抗Ｒ１の抵抗値をＲ１、容量Ｃ１の容量値をＣ１として、ＡＣアダプタ１０の外部電源接続時から、Ｒ１×Ｃ１[秒]よりも十分小さい期間（検知期間）では、トランジスタＴＲ１がＯＮして抵抗Ｒ２に電流が流れる一方、トランジスタＴＲ２はＯＦＦし、電気機器２５に電流は流れない。一方、Ｒ１×Ｃ１[秒]経過後（電源供給期間）では、トランジスタＴＲ２がＯＮして電気機器２５に電流が流れる一方、トランジスタＴＲ１はＯＦＦし、抵抗Ｒ２に電流は流れない。
【００１５】
図１のＡＣアダプタ１０は、外部電源ＰＷの交流電源を直流電源に変換するスイッチング電源回路３と、スイッチング電源回路３を制御する制御回路４と、検知回路５を備えている。
【００１６】
検知回路５は、図３に示すように、検知期間に、ケーブル１５のプラスラインＰＬからキャリブレーションアダプタ２０を介してケーブル１５のマイナスラインＭＬに流れる電流の値ｉｄと、直流電源電圧の値Ｖｃとを検知し、検知結果を制御回路４に送る。また、検知回路５は、図４に示すように、電源供給期間に、ケーブル１５のプラスラインＰＬに流れる電流の値Ｉｄを検知し、検知結果を制御回路４に送る。
【００１７】
制御回路４は、電源供給期間に、これらの検知結果（ｉｄ、Ｖｃ、Ｉｄの値）に基づいて生成した制御信号をスイッチング電源回路３に送る。スイッチング電源回路３は、この制御信号に基づいて、ケーブル（プラスラインＰＬおよびマイナスラインＭＬ）での降下電圧を補償するような値（電気機器２５に要求される電圧値Ｖｔに、この降下電圧を上乗せした補正値）の直流電源電圧Ｖｄを生成する。具体的には、キャリブレーションアダプタ２０の抵抗Ｒ２（図２（ａ）参照）の抵抗値をｒ、プラスラインＰＬの抵抗値ＲａおよびマイナスラインＭＬの抵抗値Ｒｂの和をＲとして、電源供給期間の直流電源電圧の値Ｖｄを、Ｖｄ＝Ｖｔ＋Ｉｄ×Ｒ，かつＲ＝（Ｖｃ／ｉｄ）−ｒを満たすような値とする。
【００１８】
このように、本電源システム１は、負荷である電気機器およびケーブルに特別な構成を要求することなくケーブルでの降下電圧を補償する。すなわち、任意の汎用ケーブルを任意の電気機器に適用した場合でも、ケーブルでの降下電圧の補償が可能となる。
【００１９】
〔実施の形態２〕
図１の電源システム１の一具体例を、実施の形態２として図５に示す。なお、キャリブレーションアダプタ２０およびケーブル１５については図１−２と同様である。図５のＡＣアダプタ１０では、スイッチング電源回路３に、整流平滑回路ＦＲ（一次側）、スイッチング回路ＳＣ、高周波トランスＨＴ、および整流平滑回路ＳＲ（二次側）が設けられる。一次側ＦＳでは、整流平滑回路ＦＲが商用電源等の外部電源ＰＷに接続され、整流平滑回路ＦＲの後段にスイッチング回路ＳＣが設けられ、スイッチング回路ＳＣが高周波トランスＨＴの一次コイルに接続されている。二次側ＳＳでは、高周波トランスＨＴの二次コイルに整流平滑回路ＳＲが接続されている。二次側の整流平滑回路ＳＲは、チョークコイルＣＣ、ダイオードＤ１、および容量Ｃ３・Ｃ４を含んでおり、高周波トランスＨＴの２次コイルの一端にダイオードＤ１のアノードが接続され、ダイオードＤ１のカソードにチョークコイルＣＣの一端が接続され、このカソードと高周波トランスＨＴの２次コイルの他端との間に容量Ｃ３が接続され、この２次コイルの他端とチョークコイルＣＣの他端との間に容量Ｃ４が接続されている。
【００２０】
さらに、図５のＡＣアダプタ１０では、検知回路５に、オペアンプＩＣ３および抵抗Ｒ３（抵抗値Ｒ３）が設けられ、制御回路４に、マイコンＩＣ１、メモリＩＣ２、抵抗Ｒｃ、およびフォトカプラＰＣが設けられている。抵抗Ｒ３は、上記チョークコイルＣＣの他端と、プラスラインＰＬとの接続端子である端子Ｔａとの間に接続され、抵抗Ｒ３の両端の電位がオペアンプＩＣ３に入力されている。マイコンＩＣ１の入力端子ＡＤ１は上記チョークコイルＣＣの他端に接続され、マイコンＩＣ１の入力端子ＡＤ２がオペアンプＩＣ３の出力端子に接続されている。また、マイコンＩＣ１の出力端子ＯＤ１が、フォトカプラＰＣの発光ダイオードＤ２（二次側）のカソードに接続され、発光ダイオードＤ２のアノードが抵抗Ｒｃを介してダイオードＤ１のカソード（チョークコイルＣＣの一端）に接続されている。また、一次側ＦＳでは、フォトカプラＰＣの光トランジスタＴＬのドレイン電流に応じてスイッチング回路ＳＣのスイッチングが制御される。
【００２１】
外部電源接続時から、Ｒ１×Ｃ１[秒]よりも十分小さい期間（検知期間）には、図６のように、トランジスタＴＲ１がＯＮして抵抗Ｒ２に電流が流れる一方、トランジスタＴＲ２はＯＦＦし、電気機器側に電流は流れない。検知期間では、オペアンプＩＣ３の出力（抵抗Ｒ３の電圧Ｖｉ）がマイコンＩＣ１の入力端子ＡＤ２に入力され、マイコンＩＣ１は、電圧Ｖｉと、入力端子ＡＤ１から入力されたチョークコイルの出力電圧ＶｂとをメモリＩＣ２に格納する。メモリＩＣ２は揮発性でもよいし、不揮発性でもよい。
【００２２】
Ｒ１×Ｃ１[秒]経過後（電源供給期間）では、図７のように、トランジスタＴＲ２がＯＮして電気機器に電流が流れる一方、トランジスタＴＲ１はＯＦＦし、抵抗Ｒ２に電流は流れない。電源供給期間では、マイコンＩＣ１に、入力端子ＡＤ１を介してチョークコイルの出力電圧Ｖｐが入力されるとともに、入力端子ＡＤ２を介してオペアンプＩＣ３の出力（抵抗Ｒ３の電圧Ｖｋ）が入力される。
【００２３】
マイコンＩＣ１は、電圧Ｖｋと、メモリＩＣ２から読みだした電圧ＶｂおよびＶｉとに基づいて出力端子ＯＤ１の電圧を制御することで、フォトカプラＰＣの一次側からスイッチング回路ＳＣに制御信号が送られる。この制御信号に応じてスイッチング回路ＳＣがスイッチングを行うことで、ＡＣアダプタ１０では、プラスラインＰＬおよびマイナスラインＭＬでの降下電圧を補償するような値（電気機器に要求される電圧値にケーブルでの降下電圧を上乗せした補正値）の直流電源電圧Ｖｄが生成される。
【００２４】
具体的には、キャリブレーションアダプタ２０の抵抗Ｒ２の抵抗値をｒ、プラスラインＰＬの抵抗値ＲａおよびマイナスラインＭＬの抵抗値Ｒｂの和をＲとして、電源供給期間の直流電源電圧の値Ｖｄが、Ｖｄ＝Ｖｔ＋（Ｖｋ／Ｒ３）×Ｒ、Ｒ＝（Ｖｂ−Ｖｉ）×（Ｒ３／Ｖｉ）−ｒ、かつＶｐ＝Ｖｄ＋Ｖｋを満たす。
【００２５】
なお、電源供給期間では、例えば電気機器の状況によってＶｄが上記補正値より上昇すると、マイコンＩＣ１がＯＤ１の出力を調整し、この出力調整が、フォトカプラＰＣを介して、スイッチング電源回路３の一次側にフィードバックされる（スイッチング回路ＳＣが停止する）。これにより、Ｖｄは上記補正値に引き戻される。
【００２６】
〔実施の形態３〕
図１の電源システム１の別の具体例を、実施の形態３として図８に示す。なお、キャリブレーションアダプタ２０およびケーブル１５については図１−２と同様である。また、スイッチング電源回路３については図５と同様である。図８のＡＣアダプタ１０では、検知回路５に、減算器Ｉｃ２・Ｉｃ５、定電圧源Ｉｃ３、スイッチＳＷ１、および抵抗Ｒ５・Ｒ６・Ｒ８が設けられ、制御回路４に、電圧−抵抗変換器Ｉｃ１・Ｉｃ４、乗算器Ｉｃ６、抵抗Ｒ３・Ｒ４・Ｒ７・Ｒ９・Ｒ１０、トランジスタＴＲ３・ＴＲ４・ＴＲ５、および容量Ｃ２が設けられている。
【００２７】
チョークコイルＣＣの出力端であるノードＮｄは、（１）抵抗Ｒ７を介してトランジスタＴＲ４のベース端子に接続され、（２）抵抗Ｒ９を介して電圧−抵抗変換器Ｉｃ４のホールド端子ＨＤおよびトランジスタＴＲ５のベース端子に接続され、（３）抵抗Ｒ１０を介してスイッチＳＷ１の制御端子Ｓおよび電圧−抵抗変換器Ｉｃ１のホールド端子ＨＤに接続され、（４）抵抗Ｒ８を介して端子Ｔａ（プラスラインＰＬとの接続端子）に接続され、かつ（５）定電圧源Ｉｃ３の一方の入力端子に接続されている。
【００２８】
トランジスタＴＲ４のベース端子は、容量Ｃ２を介して接地され、トランジスタＴＲ５のベース端子はトランジスタＴＲ４を介して接地され、トランジスタＴＲ３のベース端子は、（１）抵抗Ｒ４を介して接地され、（２）抵抗Ｒ３およびスイッチＳＷ１のＬ端子を介してノードＮｄに接続され、かつ（３）電圧−抵抗変換器Ｉｃ４の一方の出力端子に接続されている。なお、電圧−抵抗変換器Ｉｃ４の他方の出力端子は、スイッチＳＷ１のＨ端子を介してノードＮｄに接続されている。
【００２９】
減算器Ｉｃ２は、そのプラス端子が、抵抗Ｒ５を介して減算器Ｉｃ５のマイナス端子に接続されるとともに抵抗Ｒ６を介して接地され、そのマイナス端子が定電圧源Ｉｃ３の出力端子に接続され、その出力端子が電圧−抵抗変換器Ｉｃ１の入力端子ＩＮに接続される。減算器Ｉｃ５は、プラス端子がノードＮｄに接続され、そのマイナス端子が端子Ｔａに接続され、その出力端子が電圧−抵抗変換器Ｉｃ１の一方の出力端子に接続される。乗算器Ｉｃ６は、そのマイナス端子が電圧−抵抗変換器Ｉｃ１の他方の出力端子に接続され、そのプラス端子が接地され、その出力端子が電圧−抵抗変換器Ｉｃ４の入力端子ＩＮに接続されている。
【００３０】
外部電源接続時から、Ｒ１×Ｃ１[秒]よりも十分小さい期間（検知期間）には、図９のように、トランジスタＴＲ１がＯＮして抵抗Ｒ２に電流が流れる一方、トランジスタＴＲ２はＯＦＦし、電気機器側に電流は流れない。ここで、時定数Ｒ１×Ｃ１＞Ｒ７×Ｃ２に設定されているため、検知期間では、スイッチＳＷ１はＬ側であり、電圧−抵抗変換器Ｉｃ１は可変状態（ＨＤ端子が「Ｌｏｗ」）にある。すなわち、Ｉｃ１の抵抗値は、減算器Ｉｃ２の出力電圧に比例した値にセットされる。減算器Ｉｃ２は、Ｔａ−Ｔｂ間電圧Ｖｃを抵抗Ｒ５・Ｒ６で分割した分割値から、定電圧源Ｉｃ３の出力電圧を減算して出力する。ここでは、定電圧源Ｉｃ３の出力電圧を、上記分割値よりも常に少し低めの値とする。こうすれば、減算器Ｉｃ２の出力電圧にＴａ−Ｔｂ間電圧Ｖｃが反映され、Ｉｃ１にセットされる抵抗値が、ケーブル１５の抵抗値Ｒ（＝Ｒａ＋Ｒｂ）に比例したものとなる。
【００３１】
Ｒ１×Ｃ１[秒]経過後の電源供給期間では、図１０のように、トランジスタＴＲ２がＯＮして電気機器に電流が流れる一方、トランジスタＴＲ１はＯＦＦし、抵抗Ｒ２に電流は流れない。また、Ｒ１×Ｃ１＞Ｒ７×Ｃ２であるから、電源供給期間では、スイッチＳＷ１はＨ側になり、電圧−抵抗変換器Ｉｃ１の抵抗値はホールドされる（ＨＤ端子が「Ｈｉｇｈ」）。一方、電圧−抵抗変換器Ｉｃ４が可変になる。
【００３２】
乗算器Ｉｃ６の出力電圧は、電圧−抵抗変換器Ｉｃ１の抵抗値と減算器Ｉｃ５の出力電圧との積であり、電圧−抵抗変換器Ｉｃ４の抵抗値はこの積に応じた抵抗値にセットされる。ここで、電圧−抵抗変換器Ｉｃ１の抵抗値は、上記のとおりケーブル１５の抵抗Ｒ（＝Ｒａ＋Ｒｂ）に比例したものであり、減算器Ｉｃ５の出力電圧は、抵抗Ｒ８の電圧Ｖｋである。電源供給期間でのケーブル１５での降下電圧は、（Ｖｋ／Ｒ８）×Ｒであるから、電圧−抵抗変換器Ｉｃ４の抵抗値は、ケーブル１５での降下電圧に応じた値にセットされることになる。
【００３３】
電源供給期間では、トランジスタＴＲ３のベース電圧は、スイッチング電源回路３の出力電圧Ｖｐを、電圧−抵抗変換器Ｉｃ４と抵抗Ｒ４とで分割した電圧となるため、これが、トランジスタＴＲ３およびフォトカプラＰＣを介して、スイッチング電源回路３の一次側にフィードバックされ、ＡＣアダプタ１０で生成される直流電源電圧Ｖｄは、電気機器で要求される電圧値にケーブル１５での降下電圧を上乗せした値（補正値）となる。なお、スイッチング電源回路の出力電圧Ｖｐは、Ｖｐ＝Ｖｄ＋Ｖｋである。
【００３４】
なお、電源供給期間では、例えば電気機器の状況によって直流電源電圧Ｖｄが上記補正値より上昇するとトランジスタＴＲ３がオンし、フォトカプラＰＣを介して、スイッチング電源回路３の一次側にフィードバックされる（スイッチング回路ＳＣが停止する）。これにより、Ｖｄは補正値に引き戻される。
【００３５】
[各実施の形態について]
上記各実施の形態では、ＡＣアダプタ１０とキャリブレーションアダプタ２０とを別体で構成し、これらを、汎用のケーブルを用いて接続することを前提としているがこれに限定されない。例えば、図１１のように、キャリブレーションアダプタ２０とケーブル１５とをあらかじめ一体化しておいてもよい。また、図１２のように、ＡＣアダプタ１０とケーブル１５とキャリブレーションアダプタ２０とをあらかじめ一体化しておいてもよい。
【００３６】
なお、上記各実施の形態で用いているバイポーラ型のトランジスタの代わりに電界効果トランジスタ等のユニポーラ型のトランジスタを用いることもできる。
【００３７】
〔まとめ〕
以上のように、本電源システムでは、上記変換装置は、電源供給期間に第１極性ラインから中継装置を介して第２極性ラインにに流れる電流の値に基づき、上記電源供給期間の直流電源電圧を、電気機器に要求される電圧値と、電源供給期間における第１極性および第２極性ラインでの降下電圧とを加算した値とするように構成されていてもよい。
【００３８】
本電源システムでは、上記中継装置は、第１および第２トランジスタと、容量と、第１および第２抵抗と、第１極性ラインとの接続端子である第１端子と、第２極性ラインとの接続端子である第２端子と、電気機器との接続端子である第３および第４端子とを備え、第１トランジスタの制御端子と第１端子との間に第１抵抗が接続され、第１トランジスタの制御端子と第２端子との間に容量が接続され、第２および第４端子が接続され、第１端子が、第１トランジスタおよび第２抵抗を介して第２端子に接続されるとともに、第２トランジスタを介して第３端子に接続されている構成とすることもできる。
【００３９】
本電源システムでは、上記検知期間は、上記第１抵抗の抵抗値と上記容量の容量値との積よりも短い構成とすることもできる。
【００４０】
本電源用中継装置は、外部電源の交流電源電圧から直流電源電圧を生成する変換装置に、第１および第２極性ラインを有するケーブルを介して接続可能であるとともに直流駆動の電気機器にも接続可能である電源用中継装置であって、上記変換装置から第１極性ラインを介して流入する電流を、検知期間には電気機器に流さずに自装置を介して第２極性ラインに流し、電源供給期間には電気機器に流すように構成されていることを特徴とする。
【産業上の利用可能性】
【００４１】
本発明は、表示装置等の電気機器に好適である。
【符号の説明】
【００４２】
１  電源システム
３  スイッチング電源回路
４  制御回路
５  検知回路
１０  ＡＣアダプタ
１５  ケーブル
２０  キャリブレーションアダプタ
ＳＣ  スイッチング回路
ＰＣ  フォトカプラ
ＨＴ  高周波トランス
ＦＲ  ＳＲ  整流平滑回路
ＰＬ  （ケーブルの）プラスライン
ＭＬ  （ケーブルの）マイナスライン
【図２】
2014186684.tif 000003
【図３】
2014186684.tif 000004
【図４】
2014186684.tif 000005
【図６】
2014186684.tif 000006
【図８】
2014186684.tif 000007
【図９】
2014186684.tif 000008
【図１０】
2014186684.tif 000009
【図１１】
2014186684.tif 000010
【図１２】
2014186684.tif 000011
【図１】
2014186684.tif 000012
【図５】
2014186684.tif 000013
【図７】
2014186684.tif 000014